(57)【要約】【課題】提供された情報が画面の表示領域より大きく、その情報の全体を一度に表示できない場合に、自動的にその情報のコンテンツを検出して画面に表示することが可能な情報端末装置を提供する。【解決手段】情報端末装置１は、表示部２と、表示部２の画面２ａの表示を縦方向にスクロールする画面スクロール部１１と、画面２ａに表示された情報を取得する表示情報取得部１２と、画面２ａに表示された情報にコンテンツが存在するか否か判別する表示コンテンツ検出部１３と、縦方向の一画面分にコンテンツの存在が確認できない場合に縦方向と交差する横方向に対してコンテンツが存在するか否か判別する非表示コンテンツ検出部１４と、コンテンツの存在が確認できた場合に画面２ａの表示のスクロールを停止させて画面２ａの表示位置を決定する表示位置決定部１５と、を備える。【選択図】図１
2015090649.tif 000002
【特許請求の範囲】
【請求項１】
表示部と、
前記表示部の画面の表示を所定の第一方向にスクロールする画面スクロール部と、
前記画面に表示された情報を取得する表示情報取得部と、
前記画面に表示された前記情報にコンテンツが存在するか否か判別する表示コンテンツ検出部と、
前記第一方向の一画面分に前記コンテンツの存在が確認できない場合に前記第一方向と交差する第二方向に対して前記コンテンツが存在するか否か判別する非表示コンテンツ検出部と、
前記コンテンツの存在が確認できた場合に前記画面の表示のスクロールを停止させて前記画面の表示位置を決定する表示位置決定部と、
を備えることを特徴とする情報端末装置。
【請求項２】
前記画面の表示に係る操作を受け付ける操作部を備え、
前記操作部が所定の第一操作を受け付けて前記コンテンツの存在が確認できた場合に、前記表示位置決定部が前記画面内に前記コンテンツが表示されるよう前記画面の表示位置を決定することを特徴とする請求項１に記載の情報端末装置。
【請求項３】
前記画面の表示に係る操作を受け付ける操作部を備え、
前記操作部が所定の第二操作を受け付けて前記コンテンツの存在が確認できた場合に、前記表示位置決定部が前記第一方向の延長線上で前記画面の表示が停止するよう前記画面の表示位置を決定することを特徴とする請求項１に記載の情報端末装置。
【発明の詳細な説明】
【技術分野】
【０００１】
本発明は情報端末装置に関する。
【背景技術】
【０００２】
昨今、スマートフォンやタブレット端末、パソコンなどといった情報端末装置が普及している。これらの情報端末装置はインターネットなどの情報サービスを利用したり、アプリケーションなどを起動したりすることにより提供される文書や画像などのコンテンツを表示することができる。
【０００３】
一方、それらコンテンツを含む情報が情報端末装置の画面の表示領域より大きく、その情報の全体を一度に表示できない場合がある。そのため、例えばインターネット上のＷｅｂページ等の閲覧に用いるブラウザアプリケーション（以下、ブラウザと称する）においてコンテンツを探す場合、ユーザーが画面の表示領域をスクロールしながら探す必要があった。そして、そのスクロール操作がたいへん煩わしく感じられることがあった。このような問題を解決すべく提案された従来技術の一例が特許文献１に開示されている。
【０００４】
特許文献１に記載された従来技術では情報端末装置がＷｅｂページ上の表示させたい条件（例えば、文字列、画像、ボタン等）に予め優先順位を設定して記憶しておく。そして、画面へのＷｅｂページの表示時に、記憶した条件に一致する優先順位の高いものを検出して画面の所定の位置に表示するようにしている。
【先行技術文献】
【特許文献】
【０００５】
【特許文献１】特開２００６−２０９５５３号公報
【発明の概要】
【発明が解決しようとする課題】
【０００６】
しかしながら、上記従来技術は情報を情報端末装置の画面の表示する前に、Ｗｅｂページ上の表示させたい条件に予め優先順位を設定しておかなければならない。また、例えばキーワード（文字列）を利用した検索は予めそのキーワードが分かっていなければ検索できず、提供された情報にそもそもそのキーワードが存在しない場合には表示が移動しない虞がある。さらに、Ｗｅｂページ上に画像やボタン等が存在しない場合にも表示が移動しない虞がある。これにより、上記従来技術ではユーザーが画面の表示領域をスクロールして所望のコンテンツを探す必要が生じることが懸念される。
【０００７】
本発明は、上記の点に鑑みなされたものであり、提供された情報が画面の表示領域より大きく、その情報の全体を一度に表示できない場合に、自動的にその情報のコンテンツを検出して画面に表示することが可能な情報端末装置を提供することを目的とする。
【課題を解決するための手段】
【０００８】
上記の課題を解決するため、本発明の情報端末装置は、表示部と、前記表示部の画面の表示を所定の第一方向にスクロールする画面スクロール部と、前記画面に表示された情報を取得する表示情報取得部と、前記画面に表示された前記情報にコンテンツが存在するか否か判別する表示コンテンツ検出部と、前記第一方向の一画面分に前記コンテンツの存在が確認できない場合に前記第一方向と交差する第二方向に対して前記コンテンツが存在するか否か判別する非表示コンテンツ検出部と、前記コンテンツの存在が確認できた場合に前記画面の表示のスクロールを停止させて前記画面の表示位置を決定する表示位置決定部と、を備えることを特徴としている。
【発明の効果】
【０００９】
本発明の構成によれば、提供された情報が画面の表示領域より大きく、その情報の全体を一度に表示できない場合に、自動的にその情報のコンテンツを検出して画面に表示することが可能な情報端末装置を提供することができる。
【図面の簡単な説明】
【００１０】
【図１】本発明の第１実施形態に係る情報端末装置のブロック図である。
【図２】本発明の第１実施形態に係る情報端末装置の正面図である。
【図３】本発明の第１実施形態に係る情報端末装置におけるブラウザ画面の表示例を示す説明図である。
【図４】情報端末装置におけるブラウザのコンテンツ検索動作の従来例を示す説明図である。
【図５】本発明の第１実施形態に係る情報端末装置におけるブラウザのコンテンツ検出処理を示すフローチャートである。
【図６】本発明の第１実施形態に係る情報端末装置におけるブラウザのコンテンツ検出処理の動作例を示す説明図である。
【図７】本発明の第１実施形態に係る情報端末装置におけるブラウザのコンテンツ検出処理の動作例を示す説明図である。
【図８】本発明の第１実施形態に係る情報端末装置におけるブラウザのコンテンツ検出処理の動作例を示す説明図である。
【図９】本発明の第１実施形態に係る情報端末装置におけるブラウザのコンテンツ検出処理の動作例を示す説明図である。
【図１０】本発明の第１実施形態に係る情報端末装置におけるブラウザのコンテンツ検出処理の動作例を示す説明図である。
【図１１】本発明の第１実施形態に係る情報端末装置におけるブラウザのコンテンツ検出処理の動作例を示す説明図である。
【図１２】本発明の第１実施形態に係る情報端末装置におけるブラウザのコンテンツ検出処理の動作例を示す説明図である。
【図１３】本発明の第１実施形態に係る情報端末装置におけるブラウザのコンテンツ検出処理の動作例を示す説明図である。
【図１４】本発明の第２実施形態に係る情報端末装置におけるブラウザのコンテンツ検出処理の動作例を示す説明図である。
【図１５】本発明の第３実施形態に係る情報端末装置におけるブラウザのコンテンツ検出処理の動作例を示す説明図である。
【発明を実施するための形態】
【００１１】
以下、本発明の実施形態を図１〜図１５に基づき説明する。
【００１２】
＜第１実施形態＞
最初に、本発明の第１実施形態に係る情報端末装置について、図１及び図２を用いてその構成を説明する。図１は情報端末装置のブロック図、図２は情報端末装置の正面図である。
【００１３】
情報端末装置１は、図１及び図２に示すように表示部２、操作部３、通信部４、制御部１０及び記憶部５を備える。
【００１４】
表示部２は液晶ディスプレイや有機ＥＬ（Electro-Luminescence）ディスプレイなどで構成される。表示部２は情報端末装置１で実行されるプログラムの処理に基づき、文書や画像、アイコン、メニュー、入力ウィンドウなどといった情報を画面２ａに表示する。また、表示部２はユーザーによる操作部３の操作に基づき、ユーザーが入力した文字、数値などや、ユーザーが選択したメニュー、その他選択可能項目の選択結果などといった情報を表示する。
【００１５】
操作部３は文字や数値などの入力、メニューやその他選択可能項目の選択、処理の実行やキャンセルなど、ユーザーによる画面２ａの表示等に係る操作を受け付ける構成要素である。ユーザーによる操作部３の操作に基づいて、制御部１０は記憶部５等に記憶されたプログラム、データ、ファイルに対して各種処理を実行したり、表示部２に対して表示処理を実行したりする。なお、操作部３は機械式に動作するキーを含むほか、表示部２にタッチパネル３ａを構成しても良い。タッチパネル３ａは表示部２の画面２ａに重ねて配置され、接触する被検出体、例えばユーザーの手指やタッチペンを検出する。
【００１６】
通信部４は有線或いは無線によりインターネット等のネットワークに接続して様々な情報を得ることができる。また、通信部４は他の情報端末装置との間で通信を行ったり、電子メール等の情報の送信、受信を行ったりすることができる。さらに、情報端末装置１が例えば携帯電話機である場合、通信部４は携帯電話網を用いて音声やパケットを送信、受信する。
【００１７】
制御部１０は不図示の演算部やその他の電子部品で構成され、情報端末装置１に組み込まれた構成要素の動作を制御する。例えば、制御部１０は記憶部５等に記憶、入力されたプログラム、データ、ファイルに基づき表示部２、通信部４などの構成要素を制御して各種処理を実行する。情報端末装置１が起動するプログラムとしては、例えばインターネット上のＷｅｂページ等の閲覧に用いるブラウザがある。
【００１８】
また、制御部１０は画面スクロール部１１、表示情報取得部１２、表示コンテンツ検出部１３、非表示コンテンツ検出部１４及び表示位置決定部１５を備える。なおここでは、制御部１０が画面スクロール部１１等５要素を備える構成としているが、制御部１０とは別にして画面スクロール部１１等５要素を備える構成であっても良い。
【００１９】
画面スクロール部１１は表示部２の画面２ａの表示を所定の第一方向にスクロールする。ここでは、第一方向を縦方向とし、図２の下方に向かってスクロールする。
【００２０】
表示情報取得部１２は表示部２の画面２ａに表示された情報を取得する。なお、ここで述べた「情報」とは、例えば情報端末装置１がブラウザを起動している場合、画面２ａに表示されるＷｅｂページそのものを意味する。例えば、Ｗｅｂページに何のコンテンツも記載されていない場合、表示情報取得部１２は白紙としての情報を取得する。Ｗｅｂページに記載された種々の記事や画像等はＷｅｂページのコンテンツとして情報が取得される。
【００２１】
表示コンテンツ検出部１３は表示情報取得部１２が取得した表示部２の画面２ａに表示された情報にコンテンツが存在するか否か判別する。なお、ここで述べた「コンテンツ」とは、例えばＷｅｂページ上に記載された文字列（文書）や画像などを意味する。表示コンテンツ検出部１３が画面上でコンテンツの存在を確認できた場合、処理が表示位置決定部１５に引き継がれる。表示コンテンツ検出部１３が画面上でコンテンツの存在を確認できなかった場合、処理が非表示コンテンツ検出部１４に引き継がれる。
【００２２】
非表示コンテンツ検出部１４は表示コンテンツ検出部１３が画面上でコンテンツの存在を確認できなかった場合、すなわち縦方向の一画面分にコンテンツの存在が確認できない場合に縦方向と交差する横方向（図２の右方向）に対してコンテンツが存在するか否か判別する。横方向へのコンテンツの検出は縦方向の一画面分に対して実行されるが、例えば縦方向における数ドットの所定ドット単位の長さ（幅）で繰り返し実行しても良いし、縦方向における文字サイズ単位の長さ（幅）で繰り返し実行しても良い。このとき、表示部２の画面２ａの表示は変化せず、非表示コンテンツ検出部１４はその右方の非表示の領域でコンテンツの検出を試みる。
【００２３】
表示位置決定部１５は表示コンテンツ検出部１３及び非表示コンテンツ検出部１４によりコンテンツの存在が確認できた場合に表示部２の画面２ａの表示のスクロールを停止させて画面２ａの表示位置を決定する。これに基づき、制御部１０は検出したコンテンツを表示部２の画面２ａ内の好適な位置に表示する。
【００２４】
続いて、上記構成の情報端末装置１におけるブラウザの処理の概要について、図１及び図２に加えて図３及び図４を用いて説明する。図３及び図４は情報端末装置におけるブラウザのコンテンツ検索動作の従来例を示す説明図である。
【００２５】
情報端末装置１においてユーザーがブラウザの実行を指示すると、制御部１０は記憶部５等に予め記憶したブラウザを起動してそれに係る処理を実行する。
【００２６】
表示部２には、例えば図２に示すようなブラウザ画面が表示される。図２によれば、ブラウザ画面の右端及び下端には画面２ａを上下方向及び横方向にスクロールするためのスクロールボタン６が配置される。また、例えばブラウザ画面の下部には表示を拡大、縮小するための表示拡縮ボタン７が配置される。
【００２７】
図２に示す情報端末装置１のブラウザ画面のＷｅｂページの表示領域８は、図３に示す構成となっている。図３によれば、表示部２は本来のＷｅｂページＰを一部拡大してブラウザ画面の表示領域８として表示することができる。この場合、一般的にはＷｅｂページＰのページ全体のうち左上角部を起点として表示される。なお、表示部２は本来のＷｅｂページＰに対して、ページ全体が画面２ａに表示されるように情報を拡大、縮小したり、ページ幅が画面幅に合うように情報を拡大、縮小したりすることも可能である。
【００２８】
ここで、図３に示すようにＷｅｂページＰにおいて特定の箇所に「あいう」からなるコンテンツＣ１が記載され、ブラウザ起動時の画面２ａにコンテンツが何も表示されていない場合、従来ユーザーは画面２ａの表示領域８をスクロールしながら探す必要があった。すなわち、図４に示すようにユーザーが手入力によるスクロール操作で「あいう」からなるコンテンツＣ１を見つけ出さなければならない。このスクロール操作がたいへん煩わしく感じられることがあった。
【００２９】
そこで、本実施形態に係る情報端末装置１は提供された情報、すなわちＷｅｂページＰが表示部２の画面２ａの表示領域８より大きく、その情報の全体を一度に表示できない場合に、自動的にその情報のコンテンツを検出して画面２ａに表示する。
【００３０】
続いて、上記構成の情報端末装置１におけるブラウザのコンテンツ検出処理について、図５に示すフローに沿って図６〜図１３を用いて詳細に説明する。図５はブラウザのコンテンツ検出処理を示すフローチャート、図６〜図１３はブラウザのコンテンツ検出処理の動作例を示す説明図である。
【００３１】
情報端末装置１においてブラウザが起動されると（図５のスタート）、制御部１０は、例えば図６に示すようにＷｅｂページＰの一部を拡大して表示部２にブラウザ画面の表示領域８として表示させる。そして、制御部１０は、画面スクロール部１１に画面２ａの表示領域８のスクロールを開始させる（ステップ＃１０１）。画面スクロール部１１は縦方向、すなわち図６の下方に向かって表示部２の画面２ａの表示をスクロールさせる。
【００３２】
次に、制御部１０は表示情報取得部１２に表示部２の画面２ａに表示された情報を取得させる（ステップ＃１０２）。表示情報取得部１２はＷｅｂページＰにおける表示部２の表示領域８に対応する部分に記載された情報を取得する。
【００３３】
次に、制御部１０は表示コンテンツ検出部１３に表示情報取得部１２が取得した表示部２の画面２ａに表示された情報にコンテンツが存在するか否か判別させる（ステップ＃１０３）。表示コンテンツ検出部１３はＷｅｂページＰにおける表示部２の表示領域８に対応する部分に記載された、例えば文字列（文書）、画像などのコンテンツの検出を行う。
【００３４】
表示コンテンツ検出部１３が表示部２の表示領域８にコンテンツの存在を確認できなかった場合（ステップ＃１０３のＮｏ）、制御部１０は非表示コンテンツ検出部１４に、図７に示すように横方向に対して非表示のコンテンツの有無を調査させる（ステップ＃１０４）。このとき前述のように、表示部２の画面２ａの表示は変化せず、非表示コンテンツ検出部１４はその右方の非表示の領域でコンテンツの検出を試みる。そして、制御部１０は非表示コンテンツ検出部１４に横方向に非表示のコンテンツが存在するか否か判別させる（ステップ＃１０５）。
【００３５】
非表示コンテンツ検出部１４が表示部２の画面２ａの右方の非表示の領域でコンテンツの存在を確認できなかった場合（ステップ＃１０５のＮｏ）、制御部１０はＷｅｂページＰにおいて表示部２の表示領域８のスクロールがＷｅｂページＰの最下部まで終了したか否かを判別する（ステップ＃１０６）。
【００３６】
表示部２の表示領域８のスクロールがＷｅｂページＰの最下部まで終了していない場合（ステップ＃１０６のＮｏ）、ステップ＃１０１に戻り、制御部１０は画面スクロール部１１に画面２ａの表示領域８のスクロールを再開させる。これにより、図８に示すように画面２ａの表示領域８が縦方向に一画面分スクロールする。
【００３７】
次に、制御部１０は再度ステップ＃１０２〜ステップ＃１０５の処理を行い、ＷｅｂページＰ上でコンテンツの検出を行う。そして、図９に示すように、非表示コンテンツ検出部１４が表示部２の画面２ａの右方の非表示の領域でコンテンツＣ１の存在を確認できた場合（ステップ＃１０５のＹｅｓ）、制御部１０は表示位置決定部１５に表示部２の画面２ａの表示のスクロールを停止させて画面２ａの表示位置を決定させる（ステップ＃１０７）。
【００３８】
そして、制御部１０は、図１０に示すように表示部２の画面２ａの表示領域８の好適な位置に検出したコンテンツＣ１を表示し（ステップ＃１０８）、ブラウザのコンテンツ検出処理を終了する（図５のエンド）。なお、ステップ＃１０６において表示部２の表示領域８のスクロールがＷｅｂページＰの最下部まで終了した場合（ステップ＃１０６のＹｅｓ）も、ブラウザのコンテンツ検出処理を終了する。また、ユーザー操作が割り込んでブラウザのコンテンツ検出処理を終了することもある。
【００３９】
ここで、図１１に示すように表示コンテンツ検出部１３が表示部２の表示領域８にコンテンツＣ２の存在を確認できた場合（ステップ＃１０３のＹｅｓ）、上記非表示コンテンツ検出部１４がコンテンツの存在を確認できた場合と同様、表示部２の画面２ａの表示領域８の好適な位置に検出したコンテンツＣ２を表示する。
【００４０】
そして、図１２に示すように表示部２の画面２ａの表示領域８からコンテンツＣ２が消えるようにユーザーが手入力によるスクロール操作を行った場合、情報端末装置１はあらためて図５に示すブラウザのコンテンツ検出処理を開始する。続いて、図１２に示すコンテンツＣ３を検出すると、図１３に示すように表示部２の画面２ａの表示領域８の好適な位置に検出したコンテンツＣ３を表示する。
【００４１】
上記のように、情報端末装置１は、表示部２と、画面スクロール部１１と、表示情報取得部１２と、表示コンテンツ検出部１３と、非表示コンテンツ検出部１４と、表示位置決定部１５と、を備える。この構成によれば、情報端末装置１は縦方向に表示部２の画面２ａの表示をスクロールさせてその表示領域８でコンテンツを検出する。縦方向の一画面分にコンテンツが存在しなかった場合、情報端末装置１は横方向の非表示の領域でコンテンツの検出を試みる。これら縦方向と横方向とのコンテンツの検出動作により、情報端末装置１はＷｅｂページＰの全体において自動的にコンテンツの検出を行うことができる。
【００４２】
＜第２実施形態＞
次に、本発明の第２実施形態に係る情報端末装置について、図１４を用いてその構成を説明する。図１４は情報端末装置におけるブラウザのコンテンツ検出処理の動作例を示す説明図である。なお、この実施形態の基本的な構成は先に説明した第１実施形態と同じであるので、第１実施形態と共通する構成要素には前と同じ符号を付し、図面の記載及びその説明を省略するものとする。
【００４３】
第２実施形態に係る情報端末装置１では、ブラウザの起動後に、図１４に示すようにユーザーによる所定の第一操作としてのフリック操作を操作部３が受け付け、識別する。操作部３がフリック操作を受け付けた場合に、情報端末装置１は図５に示したブラウザのコンテンツ検出処理の実行を開始する。そして、表示コンテンツ検出部１３または非表示コンテンツ検出部１４がコンテンツＣ１の存在を確認できた場合、表示位置決定部１５が画面２ａ内にコンテンツが表示されるよう表示部２の画面２ａの表示位置を決定する。これにより、情報端末装置１は、図１４に示すように表示部２の画面２ａの表示領域８の好適な位置に検出したコンテンツＣ１を表示する。
【００４４】
この構成によれば、ユーザーによるフリック操作を切っ掛けとして、情報端末装置１は図５に示したブラウザのコンテンツ検出処理の実行を開始する。したがって、情報端末装置１によるＷｅｂページＰのコンテンツの自動検出を、ユーザーが所望のタイミングで開始することが可能である。
【００４５】
＜第３実施形態＞
次に、本発明の第３実施形態に係る情報端末装置について、図１５を用いてその構成を説明する。図１５は情報端末装置におけるブラウザのコンテンツ検出処理の動作例を示す説明図である。なお、この実施形態の基本的な構成は先に説明した第１実施形態と同じであるので、第１実施形態と共通する構成要素には前と同じ符号を付し、図面の記載及びその説明を省略するものとする。
【００４６】
第３実施形態に係る情報端末装置１では、ブラウザの起動後に、図１５に示すようにユーザーによる所定の第二操作としてのドラッグ操作を操作部３が受け付け、識別する。操作部３がドラッグ操作を受け付けた場合に、情報端末装置１は図５に示したブラウザのコンテンツ検出処理の実行を開始する。そして、非表示コンテンツ検出部１４がコンテンツＣ１の存在を確認できた場合、表示位置決定部１５が縦方向のスクロールの延長線上で画面の表示が停止するよう表示部２の画面２ａの表示位置を決定する。これにより、情報端末装置１は、図１５に示すように表示部２の画面２ａの表示領域８にコンテンツＣ１を表示することなく、縦方向のスクロールの途中の情報を表示する。
【００４７】
この構成によれば、ユーザーによるドラッグ操作を切っ掛けとして、情報端末装置１は図５に示したブラウザのコンテンツ検出処理の実行を開始する。そして、情報端末装置１にＷｅｂページＰのコンテンツの自動検出を実行させるにあたって、縦方向のスクロールのみを実行させることが可能ある。したがって、ユーザーが横方向の画面２ａの表示位置を変更したくないと所望する場合に効果的である。
【００４８】
そして、本発明の上記実施形態の構成によれば、提供されたＷｅｂページＰの情報が画面２ａの表示領域８より大きく、その情報の全体を一度に表示できない場合に、自動的にその情報のコンテンツＣ１、Ｃ２、Ｃ３を検出して画面２ａに表示することが可能な情報端末装置１を提供することができる。
【００４９】
以上、本発明の実施形態につき説明したが、本発明の範囲はこれに限定されるものではなく、発明の主旨を逸脱しない範囲で種々の変更を加えて実施することができる。
【００５０】
例えば、上記実施形態では、情報端末装置１で起動したアプリケーションが「ブラウザ」であり、画面に表示される情報が「Ｗｅｂページそのもの」であり、コンテンツがＷｅｂページ上に記載された「文字列（文書）や画像など」であることとして説明したが、本発明の適用範囲はブラウザを用いたＷｅｂページの閲覧等に限定されるわけではない。アプリケーションが例えば「メールソフトやワープロソフト、ゲームなど」であり、画面に表示される情報が「操作ウィンドウ」であり、コンテンツが操作ウィンドウ上に記載された操作対象となる「文字列（文書）やボタン、テキストボックス、メニューなど」であっても良い。
【００５１】
また、上記実施形態において表示部２の画面２ａの表示のスクロールに係る第一方向を縦方向とし、第二方向を横方向としたが、第一方向及び第二方向はこれらの方向に限定されるわけではない。例えば、第一方向を横方向とし、第二方向を縦方向としも良い。
【００５２】
また、第２実施形態においてユーザーによる所定の第一操作をフリック操作とし、第３実施形態においてユーザーによる所定の第二操作をドラッグ操作としたが、第一操作及び第二操作はこれらの操作に限定されるわけではない。例えば、フリック操作とドラッグ操作とを入れ替えても構わないし、第一操作及び第二操作に他の操作を設定しても良い。
【産業上の利用可能性】
【００５３】
本発明は情報端末装置において利用可能である。
【符号の説明】
【００５４】
１    情報端末装置
２    表示部
２ａ    画面
３    操作部
３ａ    タッチパネル
４    通信部
５    記憶部
８    表示領域
１０    制御部
１１    画面スクロール部
１２    表示情報取得部
１３    表示コンテンツ検出部
１４    非表示コンテンツ検出部
１５    表示位置決定部
【図１】
2015090649.tif 000003
【図２】
2015090649.tif 000004
【図３】
2015090649.tif 000005
【図４】
2015090649.tif 000006
【図５】
2015090649.tif 000007
【図６】
2015090649.tif 000008
【図７】
2015090649.tif 000009
【図８】
2015090649.tif 000010
【図９】
2015090649.tif 000011
【図１０】
2015090649.tif 000012
【図１１】
2015090649.tif 000013
【図１２】
2015090649.tif 000014
【図１３】
2015090649.tif 000015
【図１４】
2015090649.tif 000016
【図１５】
2015090649.tif 000017